(57)【要約】【課題】球状の本体表面上に複数の突起を有し、内部に重りを有し、ツボおよび筋肉にマッサージを施すマッサージボールを提供する。【解決手段】本体１１および重り１３を含む。本体１１は、中央に中空部が形成された球状を呈し、複数の突起１２が外表面１１１に分布している。突起１２の総数が２４〜３０個で、相互に隣り合う任意の二つの突起１２の頂端の間隔が１５〜２０ｍｍで、突起１２の頂端から外表面１１１までの垂直距離が５〜１５ｍｍである。重り１３は、本体１１の中央の中空部に位置し、全体の重量を増加させている。相互に隣り合う任意の二つの突起１２の頂端の間隔が１５〜２０ｍｍで、身体の経脈およびツボに対する刺激を増強させる。【選択図】図１
2013106730.tif 000002
【特許請求の範囲】
【請求項１】
複数の突起が外表面に分布し、前記突起の総数が２４〜３０個で、相互に隣り合う任意の前記二つの突起の頂端の間隔が１５〜２０ｍｍで、前記突起の頂端から前記外表面までの垂直距離が５〜１５ｍｍである中央に中空部が形成された球状を呈した本体と、
前記本体の前記中央の中空部に位置し、全体の重量を増加させ、相互に隣り合う任意の前記二つの突起の頂端の間隔が１５〜２０ｍｍで、身体の経脈およびツボに対する刺激を増強させる重りとを含むことを特徴とするマッサージボール。
【請求項２】
前記本体および前記突起は、弾性を有するソフトゴムにより一体成形され、材料がプラスチック、ゴム、シリコンのうちの一つで、前記重りを覆う外周の厚さが２〜１０ｍｍで、前記突起は半円形の弧状で、前記突起の最大直径が１０〜２０ｍｍであることを特徴とする請求項１に記載のマッサージボール。
【請求項３】
前記本体および前記突起は、材料内にさらに添加物を含み、前記添加物１４は金属粉末、鉱石粉末、磁力を持つ粉末、遠赤外線材料または導電材料のうちの一つであることを特徴とする請求項２に記載のマッサージボール。
【請求項４】
前記重りは、直径が４０〜６０ｍｍで、重量が３００〜６００ｇで、材料が金属、セラミック、鉱石の一つからなり、前記重りに前記本体および前記突起を加えると総重量が５００〜７００ｇになり、前記本体が前記突起の高さを含まない場合の外径が６０〜７０ｍｍであることを特徴とする請求項２に記載のマッサージボール。
【請求項５】
前記突起は、頂端から前記本体の前記外表面までの垂直距離が８〜１２ｍｍで、前記突起の総数が２８個で、前記本体の前記外表面から前記重りまで入り込んだ柱状孔を有することを特徴とする請求項４に記載のマッサージボール。
【発明の詳細な説明】
【技術分野】
【０００１】
本発明は、マッサージボールに関し、特に、球状の本体表面上に複数の突起を有し、内部に重りを有し、ツボおよび筋肉にマッサージを施すマッサージボールに関する。
【背景技術】
【０００２】
近年の健康ブームにより家庭などでマッサージで筋肉をほぐし、身体の疲労や不快感を減少させている人が多い。職場での長期にわたる疲労の蓄積と、運動や姿勢の悪さが引き起こす筋肉疲労とを軽減させるため、携帯型マッサージ器具が必要不可欠となっている。
【０００３】
現在市販されているマッサージ器具は、球状で、表面に突起を持ち、つぼを押して刺激するものである。マッサージ器具は、プラスチック、木、金属などの単一の材料からなり、全体の重さが重すぎたり、軽すぎたりすると、表面が身体に接触した際、力が不十分でマッサージ効果が乏しい場合が多い。また、従来のマッサージ器具は、表面が硬すぎたため、身体の接触部位が摩擦されると、赤く腫れたり、傷ができたりすることが多かった。
【先行技術文献】
【特許文献】
【０００４】
【特許文献１】実開平７−２８５３９
【発明の概要】
【発明が解決しようとする課題】
【０００５】
本発明の第１の目的は、内部中央に重りを有し、その外周に複数の突起を有し、ツボおよび筋肉にマッサージを施すマッサージボールを提供することにある。
本発明の第２の目的は、本体材料内に添加物を更に含み、ツボおよび筋肉への刺激を増加させるマッサージボールを提供することにある。
【課題を解決するための手段】
【０００６】
上述の目的を達成するため、本発明は、マッサージボールを提供する。本発明のマッサージボールは、本体および重りを含む。本体は、中央に中空部が形成された球状を呈し、複数の突起が外表面に分布している。突起の総数が２４〜３０個で、相互に隣り合う任意の二つの突起の頂端の間隔が１５〜２０ｍｍで、突起の頂端から外表面までの垂直距離が５〜１５ｍｍである。重りは、本体の中央の中空部に位置し、全体の重量を増加させている。相互に隣り合う任意の二つの突起の頂端の間隔が１５〜２０ｍｍで、身体の経脈およびツボに対する刺激を増強させる。
【発明の効果】
【０００７】
本発明のマッサージボールは、本体の材料がソフトゴムであるため、マッサージにより接触する皮膚を傷つけるのを避けることができる。また、内部に重りを設けているため、摩擦動作にともなう慣性運動を利用してツボおよび筋肉に効果的な刺激を与えるマッサージを施すことができる。
【図面の簡単な説明】
【０００８】
【図１】本発明の第1の実施形態によるマッサージボールを示す正面図である。
【図２】本発明の第1の実施形態によるマッサージボールを示すＡ−Ａ面の断面図である。
【図３】本発明の第２の実施形態によるマッサージボールを示す断面図である。
【図４】本発明のマッサージボールを製造する金型を示す図である。
【発明を実施するための形態】
【０００９】
以下、本考案の実施形態を図面に基づいて説明する。
図１および図２を参照する。図１は、本発明の第1の実施形態によるマッサージボールを示す正面図である。図２は、本発明の第1の実施形態によるマッサージボールを示すＡ−Ａ面の断面図である。図１および図２に示すように、本発明のマッサージボール１は、本体１１、突起１２および重り１３含む。
【００１０】
本体１１は、中央に中空部が形成された球状を呈し、外表面１１１に複数の突起１２を設けている。中央に中空部が形成された本体１１は、内部に重り１３を設け、マッサージボール１全体の重量を増加させている。
【００１１】
本体１１および複数の突起１２は、弾性を有するソフトゴムにより一体成形されている。重り１３を覆う外周の厚さｔが２〜１０ｍｍ（突起１２の高さを含まない）で、材料がプラスチック、ゴム、シリコンのうちの一つである。第1の実施形態において、本体１１は、硬度が７０前後のＴＰＵ（熱可塑性ポリウレタン）からなるのが好適である。突起１２は、半円形の弧状で、本体１１の外表面１１１から突出し、均等に分布している。突起１２の最大直径ｄは、１０〜２０ｍｍである。突起１２の頂端から本体１１の外表面１１１までの垂直距離ｈ（突起１２の高さ）は、５〜１５ｍｍが好適で、８〜１２ｍｍが最も理想的である。
【００１２】
突起１２の総数は、２４〜３０個が好適で、特に２８個が理想的である。相互に隣り合う任意の二つの突起１２は、頂端の間隔ｗが１５〜２０ｍｍである。人の手のひらにある多数のツボは、間隔が２０ｍｍ前後であるため、本発明のマッサージボール１も、相互に隣り合う任意の二つの突起１２の頂端の間隔ｗを１５〜２０ｍｍに設定した。これにより、ユーザーが手のひらで使用すると、ツボを効果的に刺激することができる。
【００１３】
本体１１および複数の突起１２は、弾性を有するソフトゴムにより一体成形されているため、マッサージボール１でマッサージされると人の指で指圧されているような感覚がある。本体１１の中央の所定の位置に配置されている重り１３がマッサージボール１に適当な重さを与えるため、両手でキャッチボールのような動作をすると、手のひらを刺激する力が増加し、マッサージ効果が向上する。
【００１４】
重り１３は、金属、セラミック、鉱石などの材料の一つからなる。本実施形態中のマッサージボール１の重り１３は、直径が４０〜６０ｍｍで、重量が３００〜６００ｇが好適であるが、特に、直径が５０ｍｍ前後の場合が理想的である。重り１３の外側の本体１１および突起１２を加えると、マッサージボール１の総重量が５００〜７００ｇになる。
【００１５】
マッサージボール１の本体１１が突起１２の高さを含まない場合、６０〜７０ｍｍである。ただし、重り１３の直径が小さい場合は、本体１１の厚さを増加させなければならない。上記の重量およびサイズは、東洋人成人の手のひらのサイズに最適である。もちろん、人種、年齢、性別により異なる重量およびサイズのマッサージボール１を製造することができる。
【００１６】
重り１３は、磁力または微量の放射性を有する金属（鉄、チタン、ゲルマニウムなど）、遠赤外線セラミック、またはエネルギーを有する水晶（アメシスト、シトリンなど）からなってもよい。重り１３の磁力または放射線が、本体１１および複数の突起１２を介してマッサージボール１の接触するツボに伝わることにより、マッサージボール１の保健的効能を増加させることができる。
【００１７】
人類は洞窟に居住していた太古の時代から、手を摩擦することにより寒さを凌ぐという本能を持っていたが、これにより血液循環が良好になり、身体が動きやすくなることを知り、次第に手のひらのある部分を押して刺激を与えると、治療効果があることを悟った。本発明のマッサージボール１は、この治療効果に着眼して生まれたわけだが、携帯に便利で、手のひらで撫でたり、転がしたり、揉んだり、叩いたり、擦ったりすることによりツボおよび全息反射区に対して刺激を加える。
【００１８】
手のひらの治療に関する理論は、経絡学説までさかのぼる。経絡学説は、「足臂十一脈灸経」、「陰陽十一脈灸経」、「灸枢経」、唐の孫思▲バク▼の「千金方」、元の滑伯仁の「十四経発揮」などの書籍に記載され、手のひらの経絡、経穴、経外奇穴の作用について詳細に解説している。「史記  扁鵲倉公列伝」および「黄帝内経」においても、古代中国における治療状況、および経絡▲ユ▼穴による診断などは、現在手のひらの治療に関する理論的根拠となっている。
【００１９】
現代医学において、手のひらの皮下組織に豊富な神経線維末梢が密集し、物体の形状、大きさ、温度、重さを感知できることが立証されている。神経線維末梢が密集している手のひらの特定のツボに刺激が与えられると、強い反応を示すが、経絡と臓器とが相互に対応しているため、疾病の予防および治療を行なうことができる。
本発明のマッサージボール１の外表面１１１上には、複数の突起１２があり、身体の経絡やツボ（特に、手のひらの経穴および全息反射区）上を転がしたり、叩いたりして異なる方法により刺激が与えられると、刺激が経絡および神経に伝わり、身体の免疫システムを刺激し、潜在能力を発揮させ、疾病予防、健康増進および長寿に効果がある。
【００２０】
手のひら以外に、頸部、肩、肘、膝、頭部などで転がしたり、叩いたりしてツボを刺激し、経絡を開くことができる。
【００２１】
図３を参照する。図３は、本発明の第２の実施形態によるマッサージボールを示す断面図である。図３に示すように、第２の実施形態によるマッサージボールが第１の実施形態によるマッサージボールと異なるのは、本体１１および突起１２の材料内に添加物１４を含ませる点である。添加物１４は、本体１１および突起１２内に均等に分布する細かい粒であり、金属粉末、鉱石粉末、磁力を持つ粉末、遠赤外線材料または導電材料のうちの一つである。添加物１４は、本体１１および突起１２の重量の２〜８％を占めるのが好適である。
【００２２】
金属および導電材料は、人体の静電気を除去することができる。遠赤外線効果を有する金属またはセラミックは、マッサージボール１が身体のツボを刺激すると遠赤外線を放射し、血液循環を助けることができる。また、磁力を持つ粉末は、人体の磁場を改善することができる。そのため、添加物１４の特性がマッサージボール１の身体のツボを刺激する効果をさらに増加させることができる。
【００２３】
上記の金属粉末、鉱石粉末、磁力を持つ粉末、遠赤外線材料または導電材料を同時に本体１１および突起１２の材料内に混合することもできる。これにより、マッサージボール１がさらにツボを刺激し、経絡を開きため、マッサージボール１の実用性が向上する。
【００２４】
使用方法に関しては、マッサージボール１自体が所定の重量を有するため、例えば、散歩中に両手で手のひらのマッサージボール１を転がすと、撫ぜたり、転がしたり、揉んだりしたような効果が得られ、両手でキャッチボールのような動作をすると、叩いたり、擦ったりしたような効果が得られる。また、手でマッサージボール１を持って頸部、肩、肘、膝、頭部などで転がしてもよい。両手の手のひらまたはその他の部位に刺激を与え続けると、５〜１０分後には血行が良くなり、皮膚が赤くなったり、少し膨らんだりするようになり、散歩が終わって水を飲むことにより、代謝を加速させ、体内の毒素を排出することができる。この時、全身が爽快で、血行がよく、生理的に充実した状態になる。
【００２５】
以上のように、マッサージボール１は、いつでもどこでも使用可能であり、指で上手に使うと健康増進効果が得られる。また、背中、足、手の十二経絡上でマッサージボール１を直線的に往復させるように押し付けたり、叩いたりすることにより、筋骨をリラックスさせることができる。
【００２６】
図４を参照する。図４は、本発明のマッサージボールを製造する金型を示す図である。図４に示すように、マッサージボール１を製造するにあたり、本体１１およびその内部の重り１３は、正確に同心円上の位置に固定されなければならない。そうしないと、マッサージボール１が使用において、重心が傾いているため、直線的に回転させるのが難しかったり、均等に力を加えることができなかったりする。そのため、本体１１の材料の射出工程を行なう金型の設計において、本発明が用いる金型上部２１および金型下部２２内に、本体１１および突起１２の外形およびサイズに合う凹座２１１、２２１がそれぞれ設けられた。
【００２７】
また、上方へ垂直に延伸した支持柱２３が金型下部２２の底部にさらに設けられた。支持柱２３の高さは、本体１１の厚さに等しい。支持柱２３が突起１２に位置した場合、その高さは、本体１１に突起１２を加えた高さでも良い。支持柱２３の最上端の頂面は、重り１３の外表面の弧度に対応する弧面を有する。製造する際は、金型上部２１および金型下部２２が離れた状態で、まず、重り１３を支持柱２３の頂部に配置して位置決めを行なう。次に、金型上部２１および金型下部２２を結合させ、金型上部２１、金型下部２２の凹座２１１、２２１と重り１３との間に注入口２４から本体１１の材料を注入する。このようにすると、本体１１およびその内部の重り１３を確実に同心円上に位置させることができる。
【００２８】
マッサージボール１が金型上部２１、金型下部２２から取り出されると、マッサージボール１上の支持柱２３が配置されていた位置に、本体１１の外表面から重り１３までの柱状孔１５が現れる。柱状孔１５は、マッサージボール１の効能には全く影響を与えないため、そのままにしておいても構わないが、見栄えをよくするため、本体１１と同様の材料を柱状孔１５内に充填すると柱状孔１５が見えなくなる。
【００２９】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【符号の説明】
【００３０】
１  マッサージボール
１１  本体
１２  突起
１３  重り
１４  添加物
１５  柱状孔
２１  金型上部
２２  金型下部
２３  支持柱
２４  注入口
１１１  外表面
２１１  凹座
２２１  凹座
ｄ  直径
ｈ  垂直距離
ｔ  厚さ
ｗ  間隔
【図１】
2013106730.tif 000003
【図２】
2013106730.tif 000004
【図３】
2013106730.tif 000005
【図４】
2013106730.tif 000006